(57)【要約】【課題】可撓部材を効果的に外部と遮蔽するとともに大型化、重量化を抑止するヒンジ機構を提供する。【解決手段】装置本体２と、装置本体２に回動可能に支持された回動部材４とを連結するヒンジ機構３において、装置本体２に回動可能に支持された一対の支持アーム２４を備える支持部材２３と、一端を装置本体２に係止され、他端を一対の支持アーム２４間に回動可能に係止された遮蔽部材５０と、遮蔽部材５０を、支持アーム２４の回動動作の全行程において、装置本体２と支持アーム２４との間を遮蔽するように回動付勢する付勢部材５３とを備える。【選択図】図６ａ
2009192933.tif 000002
【特許請求の範囲】
【請求項１】
装置本体と、上記装置本体に回動可能に支持された回動部材とを連結するヒンジ機構において、
上記装置本体に回動可能に支持された一対の支持アームを備える支持部材と、
一端を上記装置本体に係止され、他端を上記一対の支持アーム間に回動可能に係止された遮蔽部材と、
上記遮蔽部材を、上記支持アームの回動動作の全行程において、上記装置本体と上記支持アームとの間を遮蔽するように回動付勢する付勢部材とを備えるヒンジ機構。
【請求項２】
上記遮蔽部材は、上記一対の支持アームの折り曲げ部近傍に支持されていることを特徴とする請求項１記載のヒンジ機構。
【請求項３】
上記遮蔽部材は、筒型に形成され、上記装置本体と上記回動部材との間に亘って配設された可撓部材が挿通されていることを特徴とする請求項１記載のヒンジ機構。
【請求項４】
装置本体と、上記装置本体に回動可能に支持された回動部材とを連結するヒンジ機構とを備える撮像装置において、
上記ヒンジ機構は、
上記装置本体に回動可能に支持された一対の支持アームを備える支持部材と、
一端を上記装置本体に係止され、他端を上記一対の支持アーム間に回動可能に係止された遮蔽部材と、
上記遮蔽部材を、上記支持アームの回動動作の全行程において、上記装置本体と上記支持アームとの間を遮蔽するように回動付勢する付勢部材とを備える撮像装置。
【請求項５】
上記装置本体は、上記遮蔽部材の一端が係止する係止部が面取りされていることを特徴とする請求項４記載の撮像装置。
【発明の詳細な説明】
【技術分野】
【０００１】
本発明は、装置本体と、装置本体に対して回動部材を回動可能に支持するヒンジ機構及びヒンジ機構を備えた撮像装置に関する。
【背景技術】
【０００２】
デジタルカメラ等の撮像装置には、装置本体にＬＣＤパネル等のモニタが搭載され、撮像装置本体に取り込んだ画像をその場で確認することができる。モニタは、一般に撮影時に撮影者と対向する装置本体の背面に組み込まれている。撮影者は、撮影状況に応じて、ビューファインダあるいはモニタによって装置本体内に取り込んだ画像を確認しながら撮影を行い、また撮影画像をモニタで確認することができる。
【０００３】
また、近年、モニタを装置本体と別体とするとともに、装置本体に対して回動可能に支持するデジタルカメラが提案されている。この種のデジタルカメラは、装置本体の背面に支持アームの一端を回動可能に取り付けられると共に、支持アームの他端にモニタを取り付けられている。これにより、撮影者が装置本体の背面と正対できない撮影姿勢をとる場合でも、モニタを回動させることで視認性を確保することができる。
【０００４】
【特許文献１】特開平０８−０９８０６８号公報
【発明の開示】
【発明が解決しようとする課題】
【０００５】
ところで、モニタが回動可能に支持されたデジタルカメラでは、モニタと装置本体とはフレキシブル基板で接続されている。フレキシブル基板は、装置本体の背面から導出されると共に、支持アームに支持されてモニタ内に導入される。このとき、フレキシブル基板は、支持アームの回動方向に可撓性を有するように配設され、モニタの回動操作に追従して撓まされる。
【０００６】
ここで、フレキシブル基板は、装置本体外へ導出されてモニタに接続されており、外部に露出された状態では塵埃や水滴等の付着、破損等の虞がある。したがって、支持アームが取り付けられたヒンジ部にカバーを設けることによりフレキシブル基板を外部から遮蔽する必要がある。このとき、遮蔽部材として、一枚板の目隠し板を用いたのでは、装置本体の下面側からフレキシブル基板が露出してしまい、不十分である。また、支持アームに遮蔽部材を取り付け、支持アームと一体に回動可能な遮蔽部材では、支持アーム及び遮蔽部材が大型化し、広範な回動領域を必要とすることから、装置本体の大型化、重量化につながる。
【０００７】
そこで、本発明は、フレキシブル基板を効果的に外部と遮蔽するとともに大型化、重量化を抑止するヒンジ機構及びこのヒンジ機構を用いた撮像装置を提供することを目的とする。
【課題を解決するための手段】
【０００８】
上述した課題を解決するために、本発明に係るヒンジ機構は、装置本体と、上記装置本体に回動可能に支持された回動部材とを連結するヒンジ機構において、上記装置本体に回動可能に支持された一対の支持アームを備える支持部材と、一端を上記装置本体に係止され、他端を上記一対の支持アーム間に回動可能に係止された遮蔽部材と、上記遮蔽部材を、上記支持アームの回動動作の全行程において、上記装置本体と上記支持アームとの間を遮蔽するように回動付勢する付勢部材とを備えるものである。
【０００９】
また、本発明に係る撮像装置は、装置本体と、上記装置本体に回動可能に支持された回動部材とを連結するヒンジ機構とを備える撮像装置において、上記ヒンジ機構は、上記装置本体に回動可能に支持された一対の支持アームを備える支持部材と、一端を上記装置本体に係止され、他端を上記一対の支持アーム間に回動可能に係止された遮蔽部材と、上記遮蔽部材を、上記支持アームの回動動作の全行程において、上記装置本体と上記支持アームとの間を遮蔽するように回動付勢する付勢部材とを備えるものである。
【発明の効果】
【００１０】
本発明によれば、支持部材の回動操作における全行程において、遮蔽部材と装置本体との間から可撓部材が露出することがなく、塵埃や水滴等の付着、破損等を防止することができる。
【発明を実施するための最良の形態】
【００１１】
以下、本発明が適用された撮像装置について、図面を参照しながら詳細に説明する。図１に示すように、撮像装置１は、デジタルスチルカメラあるいは銀塩カメラであり、カメラボディ２と、カメラボディ２に対してヒンジ機構３を介して回動自在に支持された液晶モニタ４とからなる。
【００１２】
カメラボディ２は、ユーザが片手で把持しやすい外形を有する略矩形状をなし、前面２ａ側に撮影レンズが組み込まれたレンズ鏡筒５が設けられるとともに、グリップ部６が張り出し形成されている。カメラボディ２は、グリップ部６が前面２ａ側に張り出し形成されることにより、ユーザにより安定して把持される。またカメラボディ２は、グリップ部６にシャッタボタン７が形成され、ユーザがカメラボディ２を把持した状態で直ちにシャッタ操作が可能とされている。これによりカメラボディ２は、ユーザによって確実に把持された状態でシャッタ操作がなされることにより、手ぶれなどを効果的に防止できる。
【００１３】
また、カメラボディ２は、上面２ｂにポップアップ式のフラッシュ８、操作モードや撮影条件を選択するダイヤル９等が形成されている。また、カメラボディ２は、背面２ｃに、撮影レンズを介して引き込んだ画像や撮影画像を表示する液晶モニタ４、電子ビューファインダ１０、各種操作ボタン群が形成されている。
【００１４】
電子ビューファインダ１０は、レンズ鏡筒５を介してカメラボディ２内に取り込んだ画像を表示するものであり、ファインダブロック１５と、ファインダブロック１５を覆うアイカップ１６とを備える。
【００１５】
図２及び図３に示すように、ファインダブロック１５は、液晶パネルが組み込まれたＬＣＤブロック１７と、液晶パネルの画像を表示するレンズ群が組み込まれたレンズブロック１８が一体に連結されて形成されている。ＬＣＤブロック１７は、略矩形筒状に形成され、長手方向をカメラボディ２の高さ方向に向けて配設されている。レンズブロック１７は、レンズの光軸方向を長手方向とする略矩形筒状に形成され、アイカップ１６を介してレンズがカメラボディ２の背面２ｃ側に臨まされている。
【００１６】
このファインダブロック１５は、ＬＣＤブロック１７の下部に液晶パネルが臨まされるとともに、この液晶パネルと対峙してレンズブロック１８がＬＣＤブロック１７の下部に取り付けられることにより、図３に示すように、全体を略Ｌ字状に形成されている。カメラボディ２は、ファインダブロック１５が上面２ｂに取り付けられることにより、前面２ａ側にＬＣＤブロック１７が長手方向を高さ方向に向けて設けられ、背面２ｃ側にレンズブロック１８が長手方向を前後方向に向けて設けられる。このとき、レンズブロック１８がＬＣＤブロック１７の下部に取り付けられていることから、カメラボディ２は、このファインダブロック１５を覆うアイカップ１６が前面２ａ側から背面２ｃ側にかけて低背化が図られる。
【００１７】
なお、レンズブロック１８は、後述するヒンジ機構３の支持フレーム２２に挿通されるとともにアイカップ１６に係合することにより、支持されている。このファインダブロック１５を覆うアイカップ１６は、カメラボディ２の背面２ｃに装着されることにより、レンズブロック１８の一端を接眼凹部２９より外方に臨ませるとともに、後述するヒンジ機構３の支持フレーム２２を収納している。また、アイカップ１６は、下面に開口部１９が形成され、支持フレーム２２に回動支持された支持部材２３が導出されている（図６参照）。この開口部１９は、カメラボディ２の背面２ｃと対向する一辺に後述する遮蔽部材５０の一端が係止するエッジ部２０が形成されている。このエッジ部２０は、全長に亘ってアール形状をなすように面取りされている。
【００１８】
なお、アイカップ１６は、側面１６ａにレンズブロック１８のピント調節を行う調節ダイヤル２８が形成されている。調節ダイヤル２８は、アイカップ１６の内側に向かって突設された調節ピンが、アイカップ１６に係合されたレンズブロック１８と係合され、ユーザに回転操作されることにより、レンズブロック１８のレンズ群を光軸方向に移動させてピント調節を行うことができる。なお、アイカップ１６は、カメラボディ２の背面２ｃ上部にネジ止めされることにより取り付けられている。
【００１９】
次いで、液晶モニタ４を支持するヒンジ機構３について説明する。図４に示すように、ヒンジ機構３は、支持フレーム２２と、液晶モニタ４を支持する支持部材２３とを有する。ヒンジ機構３は、支持フレーム２２がカメラボディ２の背面２ｃに取り付けられると共に、支持部材２３が支持フレーム２２に回動可能に支持されることにより、支持部材２３に支持された液晶モニタ４を回動させるものである。また、ヒンジ機構３は、カメラボディ２と液晶モニタ４とを接続するフレキシブル基板２１が挿通され、液晶モニタ４内に導いている。
【００２０】
支持フレーム２２は、カメラボディ２に取り付けられる矩形枠状のフレーム本体２５を有し、このフレーム本体２５にファインダブロック１５のレンズブロック１８が挿通される挿通孔２６が形成されている。
【００２１】
また、フレーム本体２５は、挿通孔２６の左右両側に、液晶モニタ４を支持した支持部材２３の支持アーム２４，２４の各一端が取り付けられる一対の取付片２７，２７が立設されている。取付片２７は、図２に示すように、カメラボディ２の背面２ｃより突出してされ、先端に支持アーム２４を支持する支持孔３０が形成されている。支持孔３０は、支持アーム２４の一端２４ａに穿設された取付孔３６と連続された後、かしめ軸３９が挿通されてかしめられることにより、支持アーム２４が回動自在に接続される。また取付片２７は、フレーム本体２５側の基端と先端との間に支持部材２３の回動範囲を規制する規制凸部３１が形成されている。規制凸部３１は、支持アーム２４の一端２４ａに形成された係止片３７が係止されることにより、支持部材２３に支持された液晶モニタ４のカメラボディ２の上面２ｂ側への回動範囲を規制する。
【００２２】
なお、取付片２７は、フレーム本体２５の基端側が高さ方向に幅広に形成され、先端に向かって漸次幅狭となる。取付片２７は、基端側の幅広に形成されることで、左右方向からの圧力の耐性が向上されている。
【００２３】
取付片２７に支持される支持部材２３は、一対の支持アーム２４，２４と、両支持アーム２４，２４間に亘って設けられた連結板部３５とを備え、これら一対の支持アーム２４，２４及び連結板部３５が一体に形成されている。支持アーム２４は、一端２４ａに取付片２７と回動可能に接続される取付孔３６及び規制凸部３１に係止される係止片３７が形成され、他端２４ｂに液晶モニタ４内の支持基盤と接続される軸孔３８が形成されている。そして支持アーム２４は、取付孔３６が取付片２７の支持孔３０と連続された後、かしめ軸３９によって接続される。また、支持アーム２４は、軸孔３８が、液晶モニタ４のパネル筐体６０及び支持基盤に形成された支持部と連続されると共にかしめ軸によってかしめられることにより回動自在に接続される。
【００２４】
なお、ヒンジ機構３は、支持アーム２４の支持孔３０と取付片２７の取付孔３６との間、及び支持アーム２４の軸孔３８と液晶モニタ４の支持基盤との間に、それぞれフリクションディスクが介在されて接続されている。したがって、支持アーム２４，２４は、支持フレーム２２に対して任意の回動位置において保持され、また、液晶モニタ４は、支持アーム２４，２４に対して任意の回動位置において保持される。
【００２５】
これにより、ヒンジ機構３は、図５（ａ）に示すように、支持部材２３が支持アーム２４の長辺を下方に下げ液晶モニタ４をカメラボディ２の背面２ｃに当接させた基本姿勢から、図５（ｂ）に示すように、支持部材２３が支持アーム２４の長辺を上方に略９０°回動させて液晶モニタ４をカメラボディ２の背面２ｃから離間させた回動姿勢へ操作することができる。また、ヒンジ機構３は、図５（ｂ）及び図５（ｃ）に示すように、支持アーム２４の軸孔３８に挿通されたかしめ軸を支軸として、液晶モニタ４を略１８０°の範囲で回動可能とする。したがって、撮像装置１は、基本姿勢にある液晶モニタ４と正対できない撮影姿勢においても、液晶モニタ４を回動させることで撮影者と正対させることができ、視認性を維持することができる。
【００２６】
一対の支持アーム２４，２４は、一端２４ａ側が直角に折り曲げられた折り曲げ部２４ｃが形成されている。これにより支持アーム２４は、一端２４ａ側が短辺、他端２４ｂ側が長辺とされ、この長辺側に連結板部３５が形成されている。ヒンジ機構３は、支持アーム２４に折り曲げ部２４ｃを設けることにより、液晶モニタ４をカメラボディ２の背面２ｃ側に収納するとき、支持アーム２４の一端２４ａの直下に収納する。
【００２７】
連結板部３５には、支持アーム２４の長辺領域においてフレキシブル基板２１が外部に露出されることを防止するヒンジカバー４０が取り付けられる。ヒンジカバー４０は、カメラボディ２の背面２ｃ側から取り付けられる裏カバー４０ａと、液晶モニタ４側から取り付けられる表カバー４０ｂとを有し、これら表裏カバー４０ａ，４０ｂが連結板部３５に突き合わせ結合されることにより、フレキシブル基板２１の挿通空間を形成すると共に、このフレキシブル基板２１が外部に露出されることを防止している。
【００２８】
ヒンジカバー４０は、支持アーム２４の一端２４ａ側の端面に、フレキシブル基板２１の遮蔽部材５０を係合支持するとともに後述するねじりコイルバネ５３の一端を係止する係合支持部４３が形成されている。遮蔽部材５０は支持部材２３の回動に伴って、支持フレーム２２の折り曲げ部２４ｃ近傍においてフレキシブル基板２１が外部に露出することを防止するものであり、表カバー４０ｂの一端側に回動可能に係合されている。係合支持部４３は、遮蔽部材５０の軸受け部を挿通する支軸４４を支持する軸支部が形成され、遮蔽部材５０の一端側を回動自在に支持している。
【００２９】
次いで、ヒンジカバー４０に係合される遮蔽部材５０について説明する。遮蔽部材５０は、アイカップ１６とヒンジカバー４０間において、フレキシブル基板２１を外部から遮蔽するものであり、略矩形状の筒状部材からなる。遮蔽部材５０は、長手方向を一対の支持アーム２４，２４間の長さよりも若干短い長さを有し、長手方向と直交する短手方向をヒンジカバー４０の係合支持部４３とアイカップ１６の開口部１９に形成されたエッジ部２０との距離よりも長い長さを有する。
【００３０】
遮蔽部材５０は、短手方向の一方側の長辺５１に、ヒンジカバー４０の係合支持部４３に支持された支軸４４が挿通される軸受け部が形成され、支軸４４を中心に回動可能に支持されている。また、遮蔽部材５０は、短手方向の他方側の長辺５２がアイカップ１６の開口部１９に形成されたエッジ部２０に係止されている。これによりヒンジ機構３は、図６（ａ）〜（ｃ）に示すように、アイカップ１６と、遮蔽部材５０と、ヒンジカバー４０とが連続される。そして遮蔽部材５０は、支持部材２３が支持フレーム２２に対して回動されると、ヒンジカバー４０に係合された長辺５１側が支持部材２３と一体に回動され、アイカップ１６のエッジ部２０に係止された長辺５２側がエッジ部２０を摺動していく。
【００３１】
この遮蔽部材５０は、短手方向の両側の長辺５１，５２が開口され、フレキシブル基板２１が挿通可能とされている。これにより、図７（ａ）に示すように、ヒンジ機構３は、アイカップ１６の開口部１９と、遮蔽部材の中空部と、ヒンジカバー４０の内部が連続され、アイカップ１６の開口部１９から導出されたフレキシブル基板２１が遮蔽部材５０の中空部及びヒンジカバー４０の内部を挿通して液晶モニタ４内に至る。したがって、撮像装置１は、カメラボディ２の背面２ｃから液晶モニタ４内まで、フレキシブル基板２１が外部に露出することが無く、塵埃や水滴等の付着、破損等を防止することができる。
【００３２】
また、遮蔽部材５０は、ヒンジカバー４０に係合支持された短手方向の一方側の長辺５１端部に、ねじりコイルバネ５３が係止されている。ねじりコイルバネ５３は、ヒンジカバー４０の係合支持部４３に軸支された支軸４４を支点に遮蔽部材５０を常時一方に回動付勢することにより、アイカップ１６の開口部１９と遮蔽部材５０との間にクリアランスが生じることを防止するものである。
【００３３】
すなわち、図７（ｂ）に示すように、ねじりコイルバネ５３は、支軸４４を挿通する環状部を有し、一端を遮蔽部材５０の中空内部に当接させ、他端をヒンジカバー４０の表カバー４０ｂ内に形成された係合支持部４３に係止されている。これにより、ねじりコイルバネ５３は、遮蔽部材５０の長辺５２側を常時アイカップ１６の開口部１９に形成されたエッジ部２０に当接させる図７（ｂ）中矢印Ａ方向へ回動付勢している。
【００３４】
このようにねじりコイルバネ５３が遮蔽部材５０を回動付勢することにより、ヒンジ機構３は、支持部材２３が下方に回動された図７（ａ）の状態から、図８（ａ）に示すように略４５°回動されるときも、図８（ｂ）に示すように、遮蔽部材５０の長辺５２側がアイカップ１６の開口部１９のエッジ部２０に摺接され、さらに図９（ａ）に示すように、支持部材２３が略９０°の位置まで回動されるときも、図９（ｂ）に示すように、遮蔽部材５０の長辺５２側がアイカップ１６の開口部１９のエッジ部２０に摺接され、遮蔽部材５０とアイカップ１６の開口部１９との間にクリアランスが現れることがない。したがって、ヒンジ機構３は、支持部材２３の回動操作における全行程において、遮蔽部材５０とアイカップ１６の開口部１９との間からフレキシブル基板２１が露出することがなく、確実に遮蔽することができる。なお、支持部材２３を図９に示す位置から図７に示す位置まで復帰させる場合も同様に、遮蔽部材５０とアイカップ１６の開口部１９との間にクリアランスが現れることがない。
【００３５】
また、ヒンジ機構３は、支持アーム２４に折り曲げ部２４ｃを設けていることから、ヒンジカバー４０を取り付けることができず、支持部材２３の回動に伴ってこの折り曲げ部２４ｃ近傍が外部に露出されるところ、この折り曲げ部２４ｃに遮蔽部材５０を配設することにより、フレキシブル基板２１を確実に遮蔽することができる。
【００３６】
なお、カメラボディ２は、図８及び図９に示すように、背面２ｃに、アイカップ１６の開口部１９に張り出される遮蔽板５５が形成されている。遮蔽板５５は、液晶モニタ４がカメラボディ２の上面２ｂ側に回動されたときに、カメラボディ２の下方から支持部材２３の支持アーム２４，２４間に配設されたフレキシブル基板２１を遮蔽するものである。遮蔽板５５は、支持フレーム２２がカメラボディ２の背面２ｃに取り付けられることにより、支持アーム２４，２４間に張り出し形成され、フレキシブル基板２１がファインダブロック１５のレンズブロック１７の下面との間に配設される。
【００３７】
ここで、図１０（ａ）〜（ｃ）に示すように、ヒンジ機構３は、遮蔽部材５０の長辺５２が摺接するアイカップ１６の開口部１９のエッジ部２０が、アール形状に面取りされているため、遮蔽部材５０のスムーズな摺動が可能となる。すなわち、エッジ部２０は、遮蔽部材５０の長辺５２が当接する全辺に亘って、遮蔽部材５０の回動方向に面取りされている。また遮蔽部材５０は、ねじりコイルバネ５３によって長辺５２がエッジ部２０に付勢され、液晶モニタ４の回動の全行程において、エッジ部２０に摺接する同一軌道を往復される。そして、ヒンジ機構３は、アイカップ１６の開口部１９のエッジ部２０が、アール形状に面取りされているため、液晶モニタ４の回動の全行程において遮蔽部材５０を安定的にエッジ部２０に摺動させ、摺動音や遮蔽部材５０のがたつき等を防止することができる。
【００３８】
次いで、ヒンジ機構３を介してカメラボディ２に回動可能に支持される液晶モニタ４について説明する。図１１に示すように、液晶モニタ４は、略矩形状に形成されたパネル筐体６０を備え、パネル筐体６０内に液晶モジュール６１及びヒンジ機構３の支持アーム２４，２４と接続される支持基盤６２が配設されている。
【００３９】
パネル筐体６０は、表ハーフ６０ａと裏ハーフ６０ｂとが突き合わせ結合されることにより形成される。表ハーフ６０ａは、液晶モジュール６１を外方に臨ませる矩形状の窓部６５が形成されている。図１２（ａ）に示すように、裏ハーフ６０ｂは、ヒンジ機構３の支持部材２３が入り込む矩形状の凹部６６が形成されている。
【００４０】
凹部６６は、裏ハーフ６０ｂの略中央部から上縁側にかけて形成され、ヒンジカバー４０が装着された支持部材２３が嵌合するに十分な幅を備える。また凹部６６は、下方に支持アーム２４の他端２４ｂが挿通され、回動可能に支持される回動支持部６７が形成されている。回動支持部６７は、一対の支持アーム２４，２４の各他端２４ｂが挿通される一対のスリット６７ａと、一対のスリット６７ａ，６７ａ間に臨まされ、ヒンジカバー４０内から導出されたフレキシブル基板２１が挿入される挿入口６７ｂとが形成されている。
【００４１】
かかる凹部６６を備えることにより、図１２（ｂ）に示すように、パネル筐体６０は、支持アーム２４，２４の他端２４ｂの軸孔３８が、回動支持部６７のスリット６７ａ，６７ａ内において回動自在に接続され、またヒンジ機構３のヒンジカバー４０内を挿通されたフレキシブル基板２１が挿入口６７ｂより挿入され、筐体内部に配設された液晶モジュール６１と接続される。
【００４２】
そして、パネル筐体６０は、支持部材２３に支持された回動支持部６７を中心に回動されると、凹部６６に、支持部材２３に取り付けられたヒンジカバー４０が嵌合される。したがって、パネル筐体６０は、液晶モニタ４がカメラボディ２の背面２ｃに当接する基本姿勢において、ヒンジ機構３のヒンジカバー４０を凹部６６内に嵌合させることで、カメラボディ２の厚みを薄くすることができ、また、裏ハーフ６０ｂをカメラボディ２の背面２ｃに密着させることができ、基本姿勢における液晶モニタ４のがたつきを防止することができる。
【００４３】
撮像装置１は、液晶モニタ４がカメラボディ２の背面２ｃ側に回動される基本姿勢において、ヒンジ機構３の支持アーム２４，２４の各一端２４ａがパネル筐体６０の直上に位置されると共に、この支持アーム２４，２４の各一端２４ａを支持する支持フレーム２２がアイカップ１６によって覆われている。すなわち、上述したように、ヒンジ機構３は、支持フレーム２２のフレーム本体２５に、ファインダブロック１５のレンズブロック１８が挿通支持する挿通孔２６を設けるとともに、この挿通孔２６の両側に支持アーム２４，２４を支持する一対の取付片２７，２７を立設している。このように、ヒンジ機構３は、液晶モニタ４を支持する支持部材２３の支持アーム２４，２４をファインダブロック１５と略同じ高さに設けることで、図１及び図２に示すように、ファインダブロック１５とヒンジ機構３とが略同じ高さとなり、ファインダブロック１５の直下に液晶モニタ４を配置させることができる。
【００４４】
したがって撮像装置１は、ファインダブロック１５とヒンジ機構３と液晶モニタ４とが高さ方向に並列された撮像装置に比して、より低背化を図り携帯性やデザイン性を向上させることができる。また、カメラボディ２の高さを上げることなく大型の液晶モニタ４を搭載することができ、視認性を高めることができる。
【００４５】
以上、本発明が適用された撮像装置について説明したが、本発明は、電子ビューファインダ１０を備えた撮像装置１のみならず、光学式ファインダー（ＯＶＦ）を備えた撮像装置に適用することもできる。また、本発明は、液晶モニタ４を備えた撮像装置１のみならず、有機ＥＬディスプレイ等のあらゆる表示モニタを備えた撮像装置に適用することもできる。
【００４６】
また、本発明は、デジタルカメラ、銀塩カメラのみならず、装置本体に対してモニタが回動可能に支持されたビデオカメラに適用することもできる。また、本発明が適用されたヒンジ機構は、携帯電話、ラップトップＰＣ等のあらゆる電子機器におけるヒンジ部に適用することができる。
【図面の簡単な説明】
【００４７】
【図１】本発明が適用された撮像装置を背面側から示す斜視図であり、液晶モニタがカメラボディの背面に当接された基本姿勢を示す。
【図２】液晶モニタがカメラボディの背面に当接された基本姿勢において、アイカップを省略して示す斜視図である。
【図３】液晶モニタを支持するヒンジ機構にファインダブロックが挿通される状態を示す斜視図である。
【図４】アイカップ、ヒンジ機構及び遮蔽部材を示す分解斜視図である。
【図５ａ】ヒンジ機構の回動行程中、基本姿勢を示す側面図である。
【図５ｂ】ヒンジ機構の回動行程中、基本姿勢から支持アームを略９０°回動させた状態を示す側面図である。
【図５ｃ】ヒンジ機構の回動行程中、図５ｂの状態から液晶モニタを略１８０°回動させた状態を示す側面図である。
【図６ａ】ヒンジ機構の回動行程中、基本姿勢を示す斜視図である。
【図６ｂ】ヒンジ機構の回動行程中、本姿勢から略４５°回動させた状態を示す斜視図である。
【図６ｃ】ヒンジ機構の回動行程中、基本姿勢から略９０°回動させた状態を示す斜視図である。
【図７ａ】基本姿勢におけるヒンジ機構及び遮蔽部材を示す断面図であり、フレキシブル基板の挿通領域を示す図である。
【図７ｂ】基本姿勢におけるヒンジ機構及び遮蔽部材を示す断面図であり、ねじりコイルバネの係止領域を示す図である。
【図８ａ】基本姿勢から支持部材を略４５°回動させた状態におけるヒンジ機構及び遮蔽部材を示す断面図であり、フレキシブル基板の挿通領域を示す図である。
【図８ｂ】基本姿勢から支持部材を略４５°回動させた状態におけるヒンジ機構及び遮蔽部材を示す断面図であり、ねじりコイルバネの係止領域を示す図である。
【図９ａ】基本姿勢から支持部材を略９０°回動させた状態におけるヒンジ機構及び遮蔽部材を示す断面図であり、フレキシブル基板の挿通領域を示す図である。
【図９ｂ】基本姿勢から支持部材を略９０°回動させた状態におけるヒンジ機構及び遮蔽部材を示す断面図であり、ねじりコイルバネの係止領域を示す図である。
【図１０】遮蔽部材が摺動するアイカップのエッジ部を示す断面図であり、（ａ）は基本姿勢、（ｂ）は基本姿勢から略４５°摺動させた状態、（ｃ）は基本姿勢から略９０°摺動させた状態を示す。
【図１１】基本姿勢から液晶モニタを略９０°回動させた撮像装置を示す斜視図である。
【図１２ａ】液晶モニタを裏側から示す斜視図であり、ヒンジ機構に未接続の状態を示す図である。
【図１２ｂ】液晶モニタを裏側から示す斜視図であり、ヒンジ機構が凹部に嵌合した状態を示す図である。
【図１３】従来の撮像装置を背面側から示す図である。
【符号の説明】
【００４８】
１  撮像装置、２  カメラボディ、３  ヒンジ機構、４  液晶モニタ、１０  電子ビューファインダ、１５  ファインダブロック、１６  アイカップ、１７  ＬＣＤブロック、１８  １９  開口部、２０  エッジ部、２１  フレキシブル基板、２２  支持フレーム、２３  支持部材、２４  支持アーム、２５  フレーム本体、２６  挿通孔、２７  取付片、３０  支持孔、３１  規制凸部、３５  連結板部、３６  取付孔、４０  ヒンジカバー、５０  遮蔽部材、５３  ねじりコイルバネ
【図１】
2009192933.tif 000003
【図２】
2009192933.tif 000004
【図３】
2009192933.tif 000005
【図４】
2009192933.tif 000006
【図５ａ】
2009192933.tif 000007
【図５ｂ】
2009192933.tif 000008
【図５ｃ】
2009192933.tif 000009
【図６ａ】
2009192933.tif 000010
【図６ｂ】
2009192933.tif 000011
【図６ｃ】
2009192933.tif 000012
【図７ａ】
2009192933.tif 000013
【図７ｂ】
2009192933.tif 000014
【図８ａ】
2009192933.tif 000015
【図８ｂ】
2009192933.tif 000016
【図９ａ】
2009192933.tif 000017
【図９ｂ】
2009192933.tif 000018
【図１０】
2009192933.tif 000019
【図１１】
2009192933.tif 000020
【図１２ａ】
2009192933.tif 000021
【図１２ｂ】
2009192933.tif 000022
【図１３】
2009192933.tif 000023